(57)【要約】【課題】簡単な構成によりディスク駆動部から排出された空気を用いて被冷却物体を冷却することが可能な記憶装置を提供する。【解決手段】このレコーダ１００（記憶装置）は、所定の回転方向（Ｐ方向）に光ディスク５０を回転駆動するとともに、光ディスク５０が収容されるローダシャーシ１２と、光ディスク５０の回転により発生する気流がハードディスクドライブ２０とは反対側からハードディスクドライブ２０側に向かう方向の下流側においてローダシャーシ１２に設けられた空気排出開口部１２ｅとを含む光ディスクドライブ１０と、光ディスクドライブ１０とハードディスクドライブ２０との間に設けられ、空気排出開口部１２ｅから排出された空気をハードディスクドライブ２０側にガイドするための空気ガイド部３０とを備える。【選択図】図１
2015138564.tif 000002
【特許請求の範囲】
【請求項１】
記憶部と、
所定の回転方向にディスクを回転駆動するとともに、前記ディスクが収容される筐体と、前記ディスクの回転により発生する気流が前記記憶部とは反対側から前記記憶部側に向かう方向の下流側において前記筐体に設けられた筐体側開口部とを含むディスク駆動部と、
前記ディスク駆動部と前記記憶部との間に設けられ、前記筐体側開口部から排出された空気を前記記憶部側にガイドするための空気ガイド部とを備えた、記憶装置。
【請求項２】
前記空気ガイド部は、前記筐体側開口部近傍から前記記憶部側に向かって延びるように形成されている、請求項１に記載の記憶装置。
【請求項３】
前記空気ガイド部は、前記筐体側開口部近傍に設けられるとともに、前記筐体側開口部における前記ディスク側の開口側縁側において、前記記憶部側に向かって延びるように形成される第１側壁部を少なくとも有する、請求項１または２に記載の記憶装置。
【請求項４】
前記空気ガイド部は、前記第１側壁部に加えて、前記筐体側開口部における前記ディスク側とは反対側の開口側縁側において、前記記憶部側に向かって延びるように形成される第２側壁部をさらに有する、請求項３に記載の記憶装置。
【請求項５】
前記ディスク駆動部は、前記ディスクが載置された状態で前記筐体に収納されるトレイと、前記トレイの前記ディスクが載置される表面とは反対の裏面側に配置され、前記ディスクに光を照射する光ピックアップとをさらに含み、
前記トレイは、前記筐体に収納された状態で、前記筐体側開口部近傍に形成され、前記光ピックアップが配置される裏面側の空気を排出するためのトレイ側開口部を有する、請求項１〜４のいずれか１項に記載の記憶装置。
【請求項６】
前記ディスク駆動部の前記筐体は、前記筐体側開口部近傍から前記筐体の内側に向かって延びるように形成され、前記筐体側開口部からの空気の排出を促進するための壁部を有する、請求項１〜５のいずれか１項に記載の記憶装置。
【請求項７】
前記ディスク駆動部の前記筐体は、前記筐体の前記記憶部と対向する側部に、前記筐体側開口部により構成される排出部と、前記筐体側開口部から排出された空気が吸引される吸引部とを有し、
前記ディスク駆動部と前記記憶部との間には、前記排出部から排出された空気が前記吸引部に吸引されることを抑制するための空気流入抑制部が設けられている、請求項１〜６のいずれか１項に記載の記憶装置。
【請求項８】
前記空気流入抑制部は、前記排出部と前記吸引部との間において、前記記憶部側に向かって延びるように形成されている、請求項７に記載の記憶装置。
【請求項９】
前記空気流入抑制部は、前記空気ガイド部と一体的に設けられている、請求項７または８に記載の記憶装置。
【請求項１０】
前記空気流入抑制部は、前記筐体の前記吸引部において、前記筐体の前記記憶部と対向する側部に沿う方向に延びるように前記筐体と一体的に設けられている、請求項７に記載の記憶装置。
【発明の詳細な説明】
【技術分野】
【０００１】
この発明は、記憶装置に関し、特に、ディスクが収容される筐体とディスクの回転により発生する気流が排出される筐体側開口部とを含むディスク駆動部を備える記憶装置に関する。
【背景技術】
【０００２】
従来、ディスクが収容される筐体とディスクの回転により発生する気流が排出される筐体側開口部とを含むディスク駆動部を備える記憶装置が知られている（たとえば、特許文献１参照）。
【０００３】
上記特許文献１には、記録媒体（ディスク）を搬送するためのトレーと、記録媒体およびトレーを収容する筐体と、筐体の側部に設けられディスクの回転により発生する気流を筐体の外部に排出するための排気口とを含むディスクドライブ装置（ディスク駆動部）と、排気口近傍において排気口と対向する位置に配置されるデコーダ半導体装置（被冷却物体）と、排気口からの排気がデコーダ半導体装置に向かうように吸引するファン（およびファンモータ）とを備える電子機器（記憶装置）が開示されている。上記特許文献１に記載の電子機器は、排気口から排出された気流がファンモータに連結されたファンにより吸引されてデコーダ半導体装置に衝突することによりデコーダ半導体装置が冷却されるように構成されている。
【先行技術文献】
【特許文献】
【０００４】
【特許文献１】特開２００３−２４９０７０号公報
【発明の概要】
【発明が解決しようとする課題】
【０００５】
しかしながら、上記特許文献１に記載の電子機器では、排気口から排出された気流がデコーダ半導体装置に衝突するように気流を吸引するファンおよびファンモータを設置する必要があるため、冷却のための構成が複雑化するという問題点がある。
【０００６】
この発明は、上記のような課題を解決するためになされたものであり、この発明の１つの目的は、簡単な構成によりディスク駆動部から排出された空気を用いて被冷却物体を冷却することが可能な記憶装置を提供することである。
【課題を解決するための手段】
【０００７】
この発明の一の局面による記憶装置は、記憶部と、所定の回転方向にディスクを回転駆動するとともに、ディスクが収容される筐体と、ディスクの回転により発生する気流が記憶部とは反対側から記憶部側に向かう方向の下流側において筐体に設けられた筐体側開口部とを含むディスク駆動部と、ディスク駆動部と記憶部との間に設けられ、筐体側開口部から排出された空気を記憶部側にガイドするための空気ガイド部とを備える。
【０００８】
この発明の一の局面による記憶装置では、上記のように、ディスクの回転により発生する気流が記憶部とは反対側から記憶部側に向かう方向の下流側において筐体に筐体側開口部を設けることによって、ディスクの回転により発生する気流（空気流）を筐体の内部から筐体側開口部を介して外部に排出することができる。そして、ディスク駆動部と記憶部との間に、筐体側開口部から排出された空気を記憶部側にガイドするための空気ガイド部を設けることによって、ファンおよびファンモータを設ける構成と異なり、空気ガイド部を設けるだけの簡単な構成により、筐体側開口部から排出された空気をディスク駆動部から記憶部に向かって集中的に導いて、ディスク駆動部から排出された空気を用いて記憶部（被冷却物体）を効果的に冷却することができる。また、空気ガイド部をディスク駆動部と記憶部（被冷却物体）との間の空きスペースに設けることによって、被冷却物体（記憶部）に対してディスク駆動部とは反対側にファンおよびファンモータを設置する場合と異なり、被冷却物体（記憶部）に対してディスク駆動部とは反対側に設置スペースを確保する必要がないので、その分、冷却構造を小さくすることができる。
【０００９】
上記一の局面による記憶装置において、好ましくは、空気ガイド部は、筐体側開口部近傍から記憶部側に向かって延びるように形成されている。このように構成すれば、筐体側開口部近傍に空気ガイド部を設けることによって、筐体側開口部から排出された空気が拡散することをより抑制することができる。また、記憶部側に向かって延びるように空気ガイド部を設けることによって、空気ガイド部により記憶部に確実に空気を導くことができるので、簡単な構成で記憶部を確実に冷却することができる。
【００１０】
上記一の局面による記憶装置において、好ましくは、空気ガイド部は、筐体側開口部近傍に設けられるとともに、筐体側開口部におけるディスク側の開口側縁側において、記憶部側に向かって延びるように形成される第１側壁部を少なくとも有する。このように構成すれば、筐体側開口部から排出された空気が主として排出されるディスク側の開口側縁側に第１側壁部を設けることによって、排出された空気の大部分を第１側壁部により記憶部に導くことができるので、記憶部により集中的に空気を導くことができる。
【００１１】
この場合、好ましくは、空気ガイド部は、第１側壁部に加えて、筐体側開口部におけるディスク側とは反対側の開口側縁側において、記憶部側に向かって延びるように形成される第２側壁部をさらに有する。このように構成すれば、一対の側壁部（第１側壁部および第２側壁部）により、筐体側開口部から排出された空気を記憶部に導くための流路を形成することができるので、空気ガイド部により記憶部により確実に空気を導くことができる。
【００１２】
上記一の局面による記憶装置において、好ましくは、ディスク駆動部は、ディスクが載置された状態で筐体に収納されるトレイと、トレイのディスクが載置される表面とは反対の裏面側に配置され、ディスクに光を照射する光ピックアップとをさらに含み、トレイは、筐体に収納された状態で、筐体側開口部近傍に形成され、光ピックアップが配置される裏面側の空気を排出するためのトレイ側開口部を有する。このように構成すれば、ディスクの回転により発生する気流（空気流）を利用して、光ピックアップの動作に伴う発熱により温められるトレイの裏面側の空気を排出することができるので、光ピックアップの熱を外部に排出することができるとともに、排出した空気を利用して、簡単な構成で記憶部を冷却することができる。
【００１３】
上記一の局面による記憶装置において、好ましくは、ディスク駆動部の筐体は、筐体側開口部近傍から筐体の内側に向かって延びるように形成され、筐体側開口部からの空気の排出を促進するための壁部を有する。このように構成すれば、ディスクの回転により発生する気流を筐体側開口部近傍から筐体の内側に向かって延びる壁部と衝突させることにより、壁部近傍の空間の内圧を高めることができるので、筐体の内部と外部との圧力差を高めて、筐体側開口部からの空気の排出を促進することができる。その結果、風量（排出される空気量）をより大きくすることができるので、記憶部における冷却効果を向上することができる。
【００１４】
上記一の局面による記憶装置において、好ましくは、ディスク駆動部の筐体は、筐体の記憶部と対向する側部に、筐体側開口部により構成される排出部と、筐体側開口部から排出された空気が吸引される吸引部とを有し、ディスク駆動部と記憶部との間には、排出部から排出された空気が吸引部に吸引されることを抑制するための空気流入抑制部が設けられている。このように構成すれば、筐体側開口部により構成される排出部から排出された後、記憶部を冷却することにより温められた空気のうち吸引部を介して再びディスク駆動部に吸引される空気の割合を減少させることができるので、温められた空気が記憶部とディスク駆動部との間で循環することによりディスク駆動部側の空気の温度が上昇するのを抑制することができる。その結果、記憶部における冷却効果が低下することを抑制することができる。
【００１５】
この場合、好ましくは、空気流入抑制部は、排出部と吸引部との間において、記憶部側に向かって延びるように形成されている。このように構成すれば、空気流入抑制部により排出部と吸引部とを仕切ることができるので、温められた空気が吸引部を介して再びディスク駆動部に吸引されることを容易に抑制することができる。
【００１６】
上記空気流入抑制部が設けられた記憶装置において、好ましくは、空気流入抑制部は、空気ガイド部と一体的に設けられている。このように構成すれば、空気流入抑制部と空気ガイド部とを別個に設ける場合と異なり、記憶装置の部品点数が増加することを抑制することができる。
【００１７】
上記空気流入抑制部が設けられた記憶装置において、好ましくは、空気流入抑制部は、筐体の吸引部において、筐体の記憶部と対向する側部に沿う方向に延びるように筐体と一体的に設けられている。このように構成すれば、吸引部において筐体側と記憶部側とを空気流入抑制部により仕切ることができるので、温められた空気が吸引部を介して再びディスク駆動部に吸引されることを容易に抑制することができる。また、空気流入抑制部が筐体と一体的に設けられているので、これによっても、記憶装置の部品点数が増加することを抑制することができる。
【発明の効果】
【００１８】
本発明によれば、上記のように、簡単な構成によりディスク駆動部から排出された空気を用いて被冷却物体を冷却することが可能な記憶装置を提供することができる。
【図面の簡単な説明】
【００１９】
【図１】本発明の第１実施形態によるレコーダの内部構成を示す斜視図である。
【図２】本発明の第１実施形態によるレコーダの内部構成を示す平面図である。
【図３】本発明の第１実施形態によるレコーダのトレイの開口部近傍を拡大した斜視図である。
【図４】本発明の第１実施形態によるレコーダの筐体を示す斜視図である。
【図５】図２の５００−５００線に沿った模式的な断面図である。
【図６】本発明の第１実施形態によるレコーダの光ディスクの回転による気流を説明するための拡大平面図である。
【図７】本発明の第２実施形態によるレコーダの内部構成を示す斜視図である。
【図８】本発明の第２実施形態によるレコーダの空気ガイド部を示す斜視図である。
【図９】本発明の第２実施形態によるレコーダの内部構成を示す平面図である。
【図１０】本発明の第３実施形態によるレコーダの内部構成を示す斜視図である。
【発明を実施するための形態】
【００２０】
以下、本発明を具体化した実施形態を図面に基づいて説明する。
【００２１】
（第１実施形態）
図１〜図６を参照して、本発明の第１実施形態によるレコーダ１００の構成について説明する。なお、レコーダ１００は、本発明の「記憶装置」の一例である。
【００２２】
本発明の第１実施形態によるレコーダ１００は、図１および図２に示すように、ＤＶＤやＢＤ（Ｂｌｕ−ｒａｙ  Ｄｉｓｋ（登録商標））などの光ディスク５０に情報を記録（記憶）または読み出し可能な光ディスクドライブ１０と、光ディスクドライブ１０とＹ方向に対向するように間隔を隔てて配置されるとともに、内蔵する磁気ディスクに情報を記録または読み出し可能なハードディスクドライブ２０とを備えている。このレコーダ１００は、光ディスク５０および磁気ディスクの各々に映像および音声情報を記録可能であるとともに、各々に記録された映像および音声情報を再生可能に構成された記録（記憶）再生装置である。なお、光ディスクドライブ１０は、本発明の「ディスク駆動部」の一例である。また、ハードディスクドライブ２０は、本発明の「記憶部」の一例である。また、光ディスク５０は、本発明の「ディスク」の一例である。また、図面では、理解の容易のために、レコーダ１００の装置本体１００ａの一部（たとえば、天板およびＸ１方向側の側板）および光ディスク５０の図示を適宜省略している。
【００２３】
また、レコーダ１００は、光ディスク５０の回転により発生する気流（空気流）をハードディスクドライブ２０にガイドする（導く）ための空気ガイド部３０と、空気ガイド部３０によりハードディスクドライブ２０にガイドされた気流が光ディスク５０の回転により再び光ディスクドライブ１０に吸引されることを抑制するための空気流入抑制部４０とを備えている。また、レコーダ１００では、空気ガイド部３０および空気流入抑制部４０は、光ディスクドライブ１０とハードディスクドライブ２０との間に設けられている。
【００２４】
このレコーダ１００は、光ディスク５０の回転により発生する気流に伴い空気が光ディスクドライブ１０から排出されるとともに、空気ガイド部３０によりハードディスクドライブ２０にガイドされて、発熱体としてのハードディスクドライブ２０を冷却するように構成されている。
【００２５】
まず、図１〜図４を参照して、光ディスクドライブ１０、空気ガイド部３０および空気流入抑制部４０の具体的構成を説明する。その後、図５および図６を参照して、光ディスク５０の回転により発生する気流によるハードディスクドライブ２０の冷却について説明する。
【００２６】
光ディスクドライブ１０は、図１および図２に示すように、光ディスク５０を載置するためのトレイ１１と、光ディスク５０が載置された状態でトレイ１１を収納するローダシャーシ１２と、トレイ１１の光ディスク５０が載置される表面（Ｚ１方向側の面）とは反対の裏面側（Ｚ２方向側）に配置されて光ディスク５０にレーザ光を照射する光ピックアップ１３とを含んでいる。また、光ディスクドライブ１０は、図示しない回転部により、光ディスク５０を所定の回転方向（Ｐ方向、平面視で時計回りの方向）に回転駆動するように構成されている。また、光ディスクドライブ１０では、光ディスク５０が回転駆動されることに伴って光ディスク５０の表面（上面および下面）近傍の空気が流動し、その結果、ローダシャーシ１２の内部で回転方向（Ｐ方向）に沿った気流が発生するように構成されている。なお、ローダシャーシ１２は、本発明の「筐体」の一例である。
【００２７】
トレイ１１は、図１〜図３に示すように、図示しない移動機構によりローダシャーシ１２に対してＸ方向に移動可能に構成されている。詳細には、トレイ１１は、Ｘ１方向に移動してレコーダ１００の装置本体１００ａの外に引き出されるように構成されている。これにより、トレイ１１への光ディスク５０の載置または取外しを行うことが可能である。また、トレイ１１は、光ディスク５０に情報を記録または読み出しする際には、Ｘ２方向に移動してローダシャーシ１２に対して所定の位置に収納されるように構成されている。
【００２８】
また、トレイ１１には、表面（Ｚ１方向側の面）上に、光ディスク５０を載置するための載置領域１１ａが設けられている。この載置領域１１ａは、平面視で概略円形状を有するように設けられている。また、載置領域１１ａは、載置領域１１ａよりも外側のトレイ１１の表面よりも凹状に窪むように形成されている。
【００２９】
また、トレイ１１には、トレイ１１がローダシャーシ１２に対して所定の位置に収納された状態で、光ピックアップ１３を上面側（Ｚ１方向側）に露出させるための露出開口部１１ｂが設けられている。また、露出開口部１１ｂは、載置領域１１ａの外側から光ディスク５０の回転中心５０ａ側に向かってＸ方向に沿って延びるように形成されている。
【００３０】
また、トレイ１１には、光ピックアップ１３が配置される裏面側（Ｚ２方向側）とローダシャーシ１２との間に形成される空間の空気を排出するための空気排出開口部１１ｃが設けられている。また、空気排出開口部１１ｃは、トレイ１１がローダシャーシ１２に対して所定の位置に収納された状態で、載置領域１１ａの外側において、ローダシャーシ１２の後述する空気排出開口部１２ｅの近傍に形成されている。詳細には、空気排出開口部１１ｃは、トレイ１１がローダシャーシ１２に対して所定の位置に収納された状態で、ローダシャーシ１２の空気排出開口部１２ｅとＹ方向に隣接する位置に形成されている。また、空気排出開口部１１ｃは、トレイ１１の外周縁から内側に向かって窪む切欠き状に形成されている。なお、空気排出開口部１１ｃは、本発明の「トレイ側開口部」の一例である。
【００３１】
ローダシャーシ１２は、図１、図２および図４〜図６に示すように、天面のない箱型の形状を有しており、内部にトレイ１１が収納されるように構成されている。具体的には、ローダシャーシ１２は、平面視で略矩形形状を有する底面部１２ａと、底面部１２ａのＹ方向の両側に設けられ、上方（Ｚ１方向）に延びる一対の側部１２ｂと、底面部１２ａの後端部（Ｘ２方向の端部）から上方に延びる背面部１２ｃと、底面部１２ａの前端部（Ｘ１方向の端部）から上方に延びる前面部１２ｄとを有している。また、前面部１２ｄは、側部１２ｂおよび背面部１２ｃの高さの略半分の高さを有している。
【００３２】
また、ローダシャーシ１２には、ハードディスクドライブ２０と対向するＹ２方向側の側部１２ｂにおいて、光ディスク５０（図２参照）の回転により発生する気流が排出される空気排出開口部１２ｅが設けられている。この空気排出開口部１２ｅは、光ディスク５０の回転により発生する気流がハードディスクドライブ２０とは反対側（Ｙ１方向側）からハードディスクドライブ２０側（Ｙ２方向側）に向かう方向の下流側（図５および図６の黒実線矢印の向かう側）において、ローダシャーシ１２に設けられている。言い換えると、空気開口排出部１２ｅは、光ディスク５０の回転中心５０ａよりもＸ２方向側において、気流（図５および図６の黒実線矢印により模式的に示す）の向かう方向の下流側に設けられている。これにより、トレイ１１の空気排出開口部１１ｃおよびローダシャーシ１２の空気排出開口部１２ｅを介して、光ディスク５０の回転により発生する気流を光ディスクドライブ１０の外部に排出することが可能である。また、空気排出開口部１２ｅは、光ディスク５０の回転中心５０ａよりもＸ２方向側において、Ｙ２方向側の側部１２ｂの下方（Ｚ２方向）に窪む切欠き状に形成されている。なお、空気排出開口部１２ｅは、本発明の「筐体側開口部」および「排出部」の一例である。
【００３３】
また、ローダシャーシ１２には、図４に示すように、空気排出開口部１２ｅ近傍からローダシャーシ１２の内側（Ｙ１方向側）に向かって延びるように形成される壁部１２ｆが設けられている。詳細には、壁部１２ｆは、ハードディスクドライブ２０と対向するＹ２方向側の側部１２ｂの内側面からローダシャーシ１２の内側に向かって（Ｙ１方向側に向かって）延びるように形成されている。すなわち、壁部１２ｆは、トレイ１１の裏面側（Ｚ２方向側）において、ハードディスクドライブ２０とは反対側（Ｙ１方向側）からハードディスクドライブ２０側（Ｙ２方向側）に向かう気流と対向するように配置されている。これにより、壁部１２ｆの気流と対向する面（Ｘ２方向側の面）と気流とが衝突して、壁部１２ｆとローダシャーシ１２とに囲まれた空間Ｓの内圧を高めることが可能である。したがって、ローダシャーシ１２の内部と外部との圧力差が高まり、壁部１２ｆにより空気排出開口部１２ｅからの空気の排出を促進することが可能である。
【００３４】
また、ローダシャーシ１２には、図１、図２および図４に示すように、ハードディスクドライブ２０と対向するＹ２方向側の側部１２ｂにおいて、空気排出開口部１２ｅから排出された空気（気流）が主に吸引される吸引部１２ｇが設けられている。詳細には、吸引部１２ｇは、Ｙ２方向側の側部１２ｂにおいて、空気排出開口部１２ｅが設けられる側（Ｘ２方向側）とは光ディスク５０の回転中心５０ａを挟んで反対側（Ｘ１方向側）に設けられている。すなわち、吸引部１２ｇは、光ディスク５０の回転により発生する気流がハードディスクドライブ２０側（Ｙ２方向側）からハードディスクドライブ２０とは反対側（Ｙ１方向側）に向かう方向の上流側（図６の黒破線矢印の向かう側とは反対側）において、ローダシャーシ１２に設けられている。言い換えると、吸引部１２ｇは、光ディスク５０の回転中心５０ａよりもＸ１方向側において、気流（図６の黒破線矢印により模式的に示す）の向かう方向の上流側に設けられている。
【００３５】
光ピックアップ１３は、図１および図２に示すように、光ディスク５０（図２参照）の下面（Ｚ２方向側の面）にレーザ光を照射することによって、光ディスク５０に記録された情報の読み出し、または、光ディスク５０への情報の記録を行うように構成されている。また、光ピックアップ１３は、図示しない移動機構によりＸ方向に移動可能に構成されており、これにより、光ディスク５０へのレーザ光の照射位置（Ｘ方向の照射位置）を変更可能に構成されている。
【００３６】
ここで、第１実施形態では、空気ガイド部３０は、図１および図２に示すように、光ディスクドライブ１０とハードディスクドライブ２０との間において、光ディスクドライブ１０側（Ｙ１方向側）に配置されている。また、空気ガイド部３０は、ローダシャーシ１２の空気排出開口部１２ｅと隣接するように配置されている。また、空気ガイド部３０は、空気ガイド部３０の下方（Ｚ２方向）の固定部３１において、図示しない固定部材によりローダシャーシ１２の側部１２ｂに固定されている。
【００３７】
また、第１実施形態では、空気ガイド部３０には、空気排出開口部１２ｅ近傍からハードディスクドライブ２０側（Ｙ２方向側）に向かって延びるように形成されるガイド部３２が設けられている。詳細には、ガイド部３２は、互いに対向する一対の側壁部３２ａおよび３２ｂと、一対の側壁部３２ａおよび３２ｂの下端部を連結する底面部３２ｃとにより構成されている。また、ガイド部３２は、固定部３１の上端部から、ガイド部３２が所定の角度で上方（Ｚ１方向）に延びるとともに、ハードディスクドライブ２０の光ディスクドライブ１０側（Ｙ１方向側）の側面に向かって延びるように形成されている。なお、側壁部３２ａおよび３２ｂは、本発明の「第１側壁部」および「第２側壁部」の一例である。
【００３８】
また、第１実施形態では、ガイド部３２の側壁部３２ａは、空気排出開口部１２ｅの光ディスク５０側（Ｘ１方向側）の開口側縁１２ｈ近傍からハードディスクドライブ２０側（Ｙ２方向側）に向かって延びるように形成されている。そして、ガイド部３２の側壁部３２ｂは、空気排出開口部１２ｅの光ディスク５０側とは反対側（Ｘ２方向側）の開口側縁１２ｉ近傍からハードディスクドライブ２０側（Ｙ２方向側）に向かって延びるように形成されている。
【００３９】
空気流入抑制部４０は、Ｙ方向における光ディスクドライブ１０とハードディスクドライブ２０との間で、かつ、Ｘ方向における空気排出開口部１２ｅと吸引部１２ｇとの間に設けられている。また、空気流入抑制部４０は、ローダシャーシ１２のハードディスクドライブ２０と対向するＹ２方向側の側部１２ｂ近傍からハードディスクドライブ２０の光ディスクドライブ１０側（Ｙ１方向側）の側面近傍までハードディスクドライブ２０側（Ｙ２方向側）に向かって延びるように形成されている。また、空気流入抑制部４０は、ローダシャーシ１２の側部１２ｂの高さよりも上方（Ｚ１方向）に延びるように略矩形形状を有する平板状に形成されている。なお、図１および図２では、空気流入抑制部４０とローダシャーシ１２のハードディスクドライブ２０と対向する側部１２ｂとの間に空気の流れを円滑にするために若干の隙間を設けているが、この隙間を設けることなく、側部１２ｂに空気流入抑制部を当接させるように形成してもよい。
【００４０】
次に、図５および図６を参照して、光ディスク５０の回転により発生する気流によるハードディスクドライブ２０の冷却について説明する。
【００４１】
まず、光ディスク５０が光ディスクドライブ１０により所定の回転方向（Ｐ方向）に回転されることに伴い、光ディスク５０の表面（上面および下面）近傍の空気が移動されて気流が発生する。具体的には、光ディスク５０の回転中心５０ａよりもＸ２方向側では、回転方向（Ｐ方向）に沿って、ハードディスクドライブ２０とは反対側（Ｙ１方向側）からハードディスクドライブ２０側（Ｙ２方向側）に向かう方向の気流が発生する。そして、光ディスク５０の回転中心５０ａよりもＸ１方向側では、回転方向（Ｐ方向）に沿って、ハードディスクドライブ２０側（Ｙ２方向側）からハードディスクドライブ２０とは反対側（Ｙ１方向側）に向かう方向の気流が発生する。なお、図５および図６では、ハードディスクドライブ２０とは反対側（Ｙ１方向側）からハードディスクドライブ２０側（Ｙ２方向側）に向かう方向の気流を模式的に黒実線矢印で示すとともに、ハードディスクドライブ２０側からハードディスクドライブ２０とは反対側に向かう方向の気流を黒破線矢印で模式的に示している。
【００４２】
そして、光ディスク５０の回転中心５０ａよりもＸ２方向側では、光ディスク５０の上面近傍の空気が移動されて発生する気流がトレイ１１の表面をなぞるように光ディスクドライブ１０の外部に排出される。また、光ディスク５０の下面近傍の空気が移動されて発生する気流が露出開口部１１ｂを介して、光ピックアップ１３の配置されるトレイ１１の裏面側を通過する。そして、トレイ１１の裏面側において発生した気流は、ハードディスクドライブ２０とは反対側（Ｙ１方向側）からハードディスクドライブ２０側（Ｙ２方向側）に向かう方向の気流の下流側（図５および図６の黒実線矢印の向かう側）において、トレイ１１の空気排出開口部１１ｃおよびローダシャーシ１２の空気排出開口部１２ｅを介して光ディスクドライブ１０の外部に排出される。
【００４３】
そして、ハードディスクドライブ２０とは反対側（Ｙ１方向側）からハードディスクドライブ２０側（Ｙ２方向側）に向かう方向の気流の下流側（図５および図６の黒実線矢印の向かう側）において光ディスクドライブ１０の外部に排出された空気が、空気ガイド部３０によりハードディスクドライブ２０にガイドされる。すなわち、空気ガイド部３０のガイド部３２（側壁部３２ａおよび３２ｂと底面部３２ｃ）により形成される流路を気流が通過する。これにより、ハードディスクドライブ２０が冷却される。
【００４４】
その後、ハードディスクドライブ２０の光ディスクドライブ１０に対向する側面に衝突した空気の一部が光ディスクドライブ１０の吸引部１２ｇにより吸引される方向に移動して、空気流入抑制部４０に衝突する。これにより、吸引部１２ｇによる光ディスクドライブ１０への空気の再流入が抑制される。
【００４５】
第１実施形態では、以下のような効果を得ることができる。
【００４６】
第１実施形態では、上記のように、光ディスク５０の回転により発生する気流がハードディスクドライブ２０とは反対側（Ｙ１方向側）からハードディスクドライブ２０側（Ｙ２方向側）に向かう方向の下流側においてローダシャーシ１２に空気排出開口部１２ｅを設けることによって、光ディスク５０の回転により発生する気流（空気流）をローダシャーシ１２の内部から空気排出開口部１２ｅを介して外部に排出することができる。そして、光ディスクドライブ１０とハードディスクドライブ２０との間に設けられ、空気排出開口部１２ｅから排出された空気をハードディスクドライブ２０側にガイドするための空気ガイド部３０を設けることによって、ファンおよびファンモータを設ける構成と異なり、空気ガイド部３０を設けるだけの簡単な構成により、空気排出開口部１２ｅから排出された空気を光ディスクドライブ１０からハードディスクドライブ２０に向かって集中的に導いて、光ディスクドライブ１０から排出された空気を用いてハードディスクドライブ２０（被冷却物体）を効果的に冷却することができる。また、空気ガイド部３０を光ディスクドライブ１０とハードディスクドライブ２０（被冷却物体）との間の空きスペースに設けることによって、被冷却物体（ハードディスクドライブ２０）に対して光ディスクドライブ１０とは反対側（Ｙ２方向側）にファンおよびファンモータを設置する場合と異なり、被冷却物体（ハードディスクドライブ２０）に対して光ディスクドライブ１０とは反対側に設置スペースを確保する必要がないので、その分、冷却構造を小さくすることができる。
【００４７】
また、第１実施形態では、上記のように、空気排出開口部１２ｅ近傍からハードディスクドライブ２０側（Ｙ２方向側）に向かって延びるように空気ガイド部３０を形成する。これにより、空気排出開口部１２ｅ近傍に空気ガイド部３０を設けることによって、空気排出開口部１２ｅから排出された空気が拡散することをより抑制することができる。また、ハードディスクドライブ２０側に向かって延びるように空気ガイド部３０を設けることによって、空気ガイド部３０によりハードディスクドライブ２０に確実に空気を導くことができるので、簡単な構成でハードディスクドライブ２０を確実に冷却することができる。
【００４８】
また、第１実施形態では、上記のように、空気排出開口部１２ｅ近傍に空気ガイド部３０を設ける。そして、空気排出開口部１２ｅにおける光ディスク５０側（Ｘ２方向側）の開口側縁１２ｈ側（Ｘ２方向側）において、ハードディスクドライブ２０側（Ｙ２方向側）に向かって延びるように形成される側壁部３２ａを空気ガイド部３０に設ける。これにより、空気排出開口部１２ｅから排出された空気が主として排出される光ディスク５０側の開口側縁１２ｈ側に側壁部３２ａを設けることによって、排出された空気の大部分を側壁部３２ａによりハードディスクドライブ２０に導くことができるので、ハードディスクドライブ２０により集中的に空気を導くことができる。
【００４９】
また、第１実施形態では、上記のように、側壁部３２ａに加えて、空気排出開口部１２ｅにおける光ディスク５０側とは反対側（Ｘ１方向側）の開口側縁１２ｉ側（Ｘ１方向側）において、ハードディスクドライブ２０側（Ｙ２方向側）に向かって延びるように形成される側壁部３２ｂを空気ガイド部３０に設ける。これにより、一対の側壁部３２ａおよび３２ｂにより、空気排出開口部１２ｅから排出された空気をハードディスクドライブ２０に導くための流路を形成することができるので、空気ガイド部３０によりハードディスクドライブ２０により確実に空気を導くことができる。
【００５０】
また、第１実施形態では、上記のように、光ディスク５０が載置された状態でローダシャーシ１２に収納されるトレイ１１と、トレイ１１の光ディスク５０が載置される表面とは反対の裏面側（Ｚ２方向側）に配置され、光ディスク５０に光を照射する光ピックアップ１３とを光ディスクドライブ１０に設ける。そして、ローダシャーシ１２に収納された状態で、空気排出開口部１２ｅ近傍に形成され、光ピックアップ１３が配置される裏面側の空気を排出するための空気排出開口部１１ｃをトレイ１１に設ける。これにより、光ディスク５０の回転により発生する気流（空気流）を利用して、光ピックアップ１３の動作に伴う発熱により温められるトレイ１１の裏面側の空気を排出することができるので、光ピックアップ１３の熱を外部に排出することができるとともに、排出した空気を利用して、簡単な構成でハードディスクドライブ２０を冷却することができる。
【００５１】
ここで、製品動作に係る温度許容値は、光ピックアップに対してハードディスクの方が高くなるように設計されている。たとえば、温度許容値の一例として、光ピックアップでは、温度許容値が５５℃前後に設計されるのに対して、ハードディスクでは、温度許容値が７０℃前後に設計される。これは、光ピックアップに対してハードディスクの発熱量が相対的に大きく、温度が上昇し易いためである。したがって、ハードディスクに対して相対的に温度が低くなる傾向にある光ピックアップ側の空気をハードディスク側に排出して、ハードディスクドライブを冷却することができる。
【００５２】
また、第１実施形態では、上記のように、空気排出開口部１２ｅ近傍からローダシャーシ１２の内側（Ｙ１方向側）に向かって延びるように形成され、空気排出開口部１２ｅからの空気の排出を促進するための壁部１２ｆを光ディスクドライブ１０のローダシャーシ１２に設ける。これにより、光ディスク５０の回転により発生する気流を空気排出開口部１２ｅ近傍からローダシャーシ１２の内側に向かって延びる壁部１２ｆと衝突させることにより、壁部１２ｆ近傍の空間Ｓの内圧を高めることができるので、ローダシャーシ１２の内部と外部との圧力差を高めて、空気排出開口部１２ｅからの空気の排出を促進することができる。その結果、風量（排出される空気量）をより大きくすることができるので、ハードディスクドライブ２０における冷却効果を向上することができる。
【００５３】
また、第１実施形態では、上記のように、ローダシャーシ１２のハードディスクドライブ２０と対向する側部１２ｂに、空気排出開口部１２ｅにより構成される排出部と、空気排出開口部１２ｅから排出された空気が吸引される吸引部１２ｇとを光ディスクドライブ１０のローダシャーシ１２に設ける。そして、光ディスクドライブ１０とハードディスクドライブ２０との間に、排出部（空気排出開口部１２ｅ）から排出された空気が吸引部１２ｇに吸引されることを抑制するための空気流入抑制部４０を設ける。これにより、空気排出開口部１２ｅにより構成される排出部から排出された後、ハードディスクドライブ２０を冷却することにより温められた空気のうち吸引部１２ｇを介して再び光ディスクドライブ１０に吸引される空気の割合を減少させることができるので、温められた空気がハードディスクドライブ２０と光ディスクドライブ１０との間で循環することにより光ディスクドライブ１０側の空気の温度が上昇するのを抑制することができる。その結果、ハードディスクドライブ２０における冷却効果が低下することを抑制することができる。
【００５４】
また、第１実施形態では、上記のように、排出部（空気排出開口部１２ｅ）と吸引部１２ｇとの間に、ハードディスクドライブ２０側（Ｙ２方向側）に向かって延びるように空気流入抑制部４０を形成する。これにより、空気流入抑制部４０により排出部（空気排出開口部１２ｅ）と吸引部１２ｇとを仕切ることができるので、温められた空気が吸引部１２ｇを介して再び光ディスクドライブ１０に吸引されることを容易に抑制することができる。
【００５５】
（第２実施形態）
次に、図７〜図９を参照して、第２実施形態について説明する。この第２実施形態では、空気ガイド部３０と空気流入抑制部４０とを別個に設けた上記第１実施形態とは異なり、空気ガイド部１３０と空気流入抑制部（側壁部１３５）とを一体的に設ける例について説明する。
【００５６】
本発明の第２実施形態によるレコーダ２００は、図７〜図９に示すように、光ディスクドライブ１０とハードディスクドライブ２０との間に設けられ、光ディスクドライブ１０側（Ｙ１方向側）からハードディスクドライブ２０側（Ｙ２方向側）に向かって延びる概略箱形状の空気ガイド部１３０を備えている。なお、上記第１実施形態と同一の構成については、同じ符号を付してその説明を省略する。また、レコーダ２００は、本発明の「記憶装置」の一例である。
【００５７】
空気ガイド部１３０には、略矩形形状の天面部１３１と、天面部１３１のＸ方向の両側（Ｘ１方向側およびＸ２方向側）の各々から下方（Ｚ２方向）に延びる側壁部１３２および１３３と、天面部１３１のＹ１方向側の辺のＸ方向の略中央から下方に延びる側壁部１３４と、側壁部１３４のＸ２方向側の端部からＹ２方向に延びる側壁部１３５とが形成されている。また、側壁部１３２、側壁部１３３および側壁部１３５は、互いにＸ方向に対向するように配置されているとともに、光ディスクドライブ１０側（Ｙ１方向側）からハードディスクドライブ２０側（Ｙ２方向側）に向かって延びるように形成されている。また、空気ガイド部１３０は、一枚の樹脂板を折り曲げ加工することにより形成されている。なお、側壁部１３５は、本発明の「第１側壁部」および「空気流入抑制部」の一例である。また、側壁部１３２は、本発明の「第２側壁部」の一例である。
【００５８】
また、空気ガイド部１３０では、光ディスクドライブ１０側（Ｙ１方向側）において、天面部１３１と側壁部１３２と側壁部１３４とにより開口部１３６が形成されているとともに、天面部１３１と側壁部１３３と側壁部１３４とにより開口部１３７が形成されている。また、空気ガイド部１３０が光ディスクドライブ１０とハードディスクドライブ２０との間に配置された状態で、開口部１３６および開口部１３７は、各々、ローダシャーシ１２の空気排出開口部１２ｅおよび吸引部１２ｇと隣接するように形成されている。
【００５９】
また、空気ガイド部１３０が光ディスクドライブ１０とハードディスクドライブ２０との間に配置された状態で、側壁部１３５は、図９に示すように、Ｘ方向において、空気排出開口部１２ｅと吸引部１２ｇとの間に配置されている。また、側壁部１３５は、側壁部１３２および側壁部１３３よりもＹ方向に若干短い幅を有しており、空気排出開口部１２ｅから排出された空気が吸引部１２ｇに少量流れるように構成されている。
【００６０】
また、空気ガイド部１３０では、図７〜図９に示すように、ハードディスクドライブ２０側（Ｙ２方向側）において、天面部１３１と側壁部１３２と側壁部１３３とのＹ２方向側の端部により開口部１３８が形成されている。また、空気ガイド部１３０が光ディスクドライブ１０とハードディスクドライブ２０との間に配置された状態で、開口部１３８は、ハードディスクドライブ２０と隣接するように形成されている。また、空気ガイド部１３０は、ハードディスクドライブ２０の高さよりも大きい高さを有している。
【００６１】
ここで、第２実施形態では、光ディスク５０の回転により発生する気流がトレイ１１の空気排出開口部１１ｃおよびローダシャーシ１２の空気排出開口部１２ｅを介して光ディスクドライブ１０の外部に排出されるとともに、空気ガイド部１３０の開口部１３６を介して空気ガイド部１３０に流入される。そして、天面部１３１と側壁部１３２と側壁部１３５とにより囲まれた流路を気流が通過する。したがって、光ディスクドライブ１０の外部に排出された空気が、空気ガイド部１３０によりハードディスクドライブ２０にガイドされる。これにより、ハードディスクドライブ２０が冷却される。
【００６２】
その後、ハードディスクドライブ２０の光ディスクドライブ１０に対向する側面に衝突した空気の一部が光ディスクドライブ１０の吸引部１２ｇにより吸引される方向に移動して、側壁部１３５に衝突する。これにより、吸引部１２ｇによる光ディスクドライブ１０への空気の再流入が抑制される。
【００６３】
なお、第２実施形態のその他の構成は、上記第１実施形態と同様である。
【００６４】
第２実施形態では、以下のような効果を得ることができる。
【００６５】
第２実施形態では、上記のように、光ディスクドライブ１０とハードディスクドライブ２０との間に、空気排出開口部１２ｅから排出された空気をハードディスクドライブ２０側（Ｙ２方向側）にガイドするための空気ガイド部１３０を設けることによって、上記第１実施形態と同様に、空気ガイド部１３０を設けるだけの簡単な構成により、光ディスクドライブ１０から排出された空気を用いてハードディスクドライブ２０を効果的に冷却することができる。
【００６６】
また、第２実施形態では、上記のように、空気ガイド部１３０と一体的に空気流入抑制部（空気ガイド部１３０の側壁部１３５）を設ける。これにより、空気流入抑制部と空気ガイド部とを別個に設ける場合と異なり、レコーダ２００の部品点数が増加することを抑制することができる。
【００６７】
なお、第２実施形態のその他の効果は、上記第１実施形態と同様である。
【００６８】
（第３実施形態）
次に、図１０を参照して、第３実施形態について説明する。この第３実施形態では、上記第１実施形態とは異なり、ローダシャーシ２１２の吸引部１２ｇに空気流入抑制部２４０を一体的に設ける例について説明する。なお、ローダシャーシ２１２は、本発明の「筐体」の一例である。
【００６９】
本発明の第３実施形態によるレコーダ３００では、図１０に示すように、ローダシャーシ２１２の吸引部１２ｇに空気流入抑制部２４０がローダシャーシ２１２と一体的に設けられている。なお、上記第１実施形態と同一の構成については、同じ符号を付してその説明を省略する。また、レコーダ３００は、本発明の「記憶装置」の一例である。
【００７０】
第３実施形態では、空気流入抑制部２４０は、吸引部１２ｇから装置本体１００ａの図示しない天板近傍までＹ２方向側の側部２１２ｂに沿う方向（Ｚ１方向）に向かって延びるように設けられている。また、空気流入抑制部２４０は、吸引部１２ｇのＸ方向の幅の略全領域にわたって延びるように形成されている。したがって、空気流入抑制部２４０は、光ディスクドライブ２１０側（Ｙ１方向側）とハードディスクドライブ２０側（Ｙ２方向側）とを仕切るように構成されている。なお、光ディスクドライブ２１０は、本発明の「ディスク駆動部」の一例である。
【００７１】
なお、第３実施形態のその他の構成は、上記第１実施形態と同様である。
【００７２】
第３実施形態では、以下のような効果を得ることができる。
【００７３】
第３実施形態でも、上記第１実施形態と同様に、空気ガイド部３０を設けるだけの簡単な構成により、光ディスクドライブ２１０から排出された空気を用いてハードディスクドライブ２０を効果的に冷却することができる。
【００７４】
また、第３実施形態では、上記のように、ローダシャーシ２１２の吸引部１２ｇに、ローダシャーシ２１２のハードディスクドライブ２０と対向するＹ２方向側の側部２１２ｂに沿う方向に延びるようにローダシャーシ２１２と一体的に空気流入抑制部２４０を設ける。これにより、吸引部１２ｇにおいてローダシャーシ２１２側（Ｙ１方向側）とハードディスクドライブ２０側（Ｙ２方向側）とを空気流入抑制部２４０により仕切ることができるので、温められた空気が吸引部１２ｇを介して再び光ディスクドライブ２１０に吸引されることを容易に抑制することができる。また、空気流入抑制部２４０がローダシャーシ２１２と一体的に設けられているので、レコーダ３００の部品点数が増加することを抑制することができる。
【００７５】
なお、第３実施形態のその他の効果は、上記第１実施形態と同様である。
【００７６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７７】
たとえば、上記第１〜第３実施形態では、空気ガイド部３０（１３０）が単独で設けられた例を示したが、本発明はこれに限られない。本発明では、光ディスクドライブのローダシャーシの一部分として空気ガイド部が設けられてもよいし、レコーダの装置本体の一部分として空気ガイド部が設けられてもよい。
【００７８】
また、上記第１〜第３実施形態では、ハードディスクドライブ２０の側面に対して空気ガイド部３０（１３０）により空気をガイドした例を示したが、本発明はこれに限られない。本発明では、ハードディスクドライブの側面以外のどの部分に空気をガイドしてもよい。
【００７９】
また、上記第１および第３実施形態では、空気ガイド部３０を一対の側壁部３２ａおよび３２ｂと底面部３２ｃとにより構成した例を示したが、本発明はこれに限られない。本発明では、空気ガイド部が１つの側壁部、または、一対の側壁部のみにより構成されてもよい。この際、側壁部は、ローダシャーシの空気排出開口部の光ディスク側の開口側縁近傍に少なくとも設けるのが好ましい。
【００８０】
また、上記第１〜第３実施形態では、トレイ１１に空気排出開口部１１ｃを設けた例を示したが、本発明はこれに限られない。本発明では、トレイに空気排出開口部を設けることなく、ローダシャーシの空気排出開口部のみにより空気を排出してもよい。
【００８１】
また、上記第１実施形態では、ローダシャーシ１２の壁部１２ｆをトレイ１１の裏面側（Ｚ２方向側）に設けた例を示したが、本発明はこれに限られない。本発明では、ローダシャーシの壁部をトレイの表面側（Ｚ１方向側）に設けてもよい。
【００８２】
また、上記第１実施形態では、空気流入抑制部４０をローダシャーシ１２のハードディスクドライブ２０と対向する側部１２ｂ近傍からハードディスクドライブ２０側（Ｙ２方向側）に向かって延びるように形成した例を示したが、本発明はこれに限られない。本発明では、空気流入抑制部をローダシャーシ１２のハードディスクドライブ２０と対向する側部１２ｂに沿う方向（Ｘ方向）に延びるように形成してもよい。すなわち、吸引部１２ｇのＹ２方向側に衝立状の空気流入抑制部を設けてもよい。
【符号の説明】
【００８３】
１０、２１０  光ディスクドライブ（ディスク駆動部）
１１  トレイ
１１ｃ  空気排出開口部（トレイ側開口部）
１２、２１２  ローダシャーシ（筐体）
１２ｂ  側部
１２ｅ  空気排出開口部（筐体側開口部、排出部）
１２ｆ  壁部
１２ｇ  吸引部
１２ｈ、１２ｉ  開口側縁
１３  光ピックアップ
２０  ハードディスクドライブ（記憶部）
３０、１３０  空気ガイド部
３２ａ  側壁部（第１側壁部）
３２ｂ、１３２  側壁部（第２側壁部）
４０、２４０  空気流入抑制部
５０  光ディスク（ディスク）
１００、２００、３００  レコーダ（記憶装置）
１３５  側壁部（第１側壁部、空気流入抑制部）
【図１】
2015138564.tif 000003
【図２】
2015138564.tif 000004
【図３】
2015138564.tif 000005
【図４】
2015138564.tif 000006
【図５】
2015138564.tif 000007
【図６】
2015138564.tif 000008
【図７】
2015138564.tif 000009
【図８】
2015138564.tif 000010
【図９】
2015138564.tif 000011
【図１０】
2015138564.tif 000012